(57)【特許請求の範囲】
【請求項１】
古紙収納時に長方形の底面が形成され、該底面の上に直方体形状の袋体部が形成されるプラスチックフイルム製の古紙回収袋において、該プラスチックフイルム製の袋の側面の内壁に接し、袋底面から袋の高さ方向の中間部に達する直方体形状の紙筒を備え、プラスチックフイルム製の袋上縁より袋底縁に達する８本のミシン目を有し、古紙収納後に８本のミシン目において直方体形状の袋体部の４箇所の角部を切除部として切り離すことによって、直方体形状の袋体部の４側面の上縁に収納された古紙を結束する互いに対向する２対のテープを有する十文字状の結束テープが形成されることを特徴とする古紙回収袋。
【請求項２】
８本のミシン目の袋上縁端に切り欠きが設けられてなる請求項１記載の古紙回収袋。
【請求項３】
長尺のチューブ状のプラスチックフイルム１５を連続的にガゼッター１６に移送し、両側縁に１対のＶ字形のガゼット部１７を有する帯状フイルム１８を形成し、次いで、帯状フイルムの両側縁よりガゼット部の折り込み幅より短い位置に、ミシン刃１９により、帯状フイルムの長手方向に２枚の表面フイルムと２枚のガゼット部フイルムの合計４枚のフイルムを貫通する２本のミシン目２０を入れ、ガゼット部の間に断熱性の受け台２３を挿入し、受け台の両側からハの字形の熱溶着刃２４を押し付け、帯状フイルムの各１枚の表面フイルムとガゼット部フイルムを溶着してハの字形の傾斜溶着線２５を形成し、ハの字形の傾斜溶着線の上端において、直線状の熱溶着刃２６により、各２枚の表面フイルムとガゼット部フイルムのすべてを帯状フイルムの幅方向に直線状に溶着して下縁溶着線を形成し、最後に、切断刃２７により、ハの字形の傾斜溶着線が袋の底部となるように下縁溶着線の外側で切断し古紙回収袋のプラスチックフイルム製の袋２８を製造することを特徴とする請求項１記載の古紙回収袋の製造方法。
【発明の詳細な説明】
【０００１】
【発明の属する技術分野】
本発明は、古紙回収袋に関する。さらに詳しくは、本発明は、古紙収納時には長方形の底面を有する袋形状をなし、古紙収納後に袋に設けられたミシン目において切断することにより、袋の側面に十文字状の結束テープが形成され、該テープにより古紙を結束することができる古紙回収袋に関する。
【０００２】
【従来の技術】
新聞、チラシ、雑誌などの古紙の回収と再利用は、パルプ原木資源の節約と国内外の森林資源の温存につながる。また、古紙を回収し再利用することにより、固形廃棄物としての自治体によるゴミ収集と処理への負担を軽減することができる。古紙の利用は、パルプの代替として経済的に有利であるばかりでなく、資源環境問題への寄与が大きい。このために、各家庭からの新聞などの古紙の回収が積極的に進められている。
回収された古紙は、古紙集荷段階において選別が行われる。この工程は人手に頼らざるを得ないが、以後の機械的処理や古紙パルプの品質への影響が大きい。従来、新聞、チラシ、雑誌などの古紙は、紙袋又はプラスチックフイルム製の袋に収納され、各家庭より回収されていた。しかし、古紙を選別するためには、いったん袋から取り出す必要があり、多くの手間がかかっていた。このために、古紙集荷業者より、袋に収納した状態でなく、紐でしばった状態で各家庭より古紙を提供してほしいという要望が出されるようになった。紐でしばった状態であれば、紐を切断することにより、容易に選別する状態とすることができる。
しかし、一般家庭において、古紙を紐でしばった状態で提供することは、それほど簡単なことではない。読了後の新聞は、不規則に折り畳まれた状態となりやすく、さらにチラシなどが加わると、そのままで積み重ねることは困難であり、いったん袋に収納したのち取り出して、あらためて紐でしばったり、あるいは、あらかじめ紐を設置しておくことができる特殊なプラスチック容器などを用いる必要があった。
このために、家庭において、手間をかけることなく、簡単に古紙を紐でしばった状態とすることができる古紙の収納手段が求められていた。
【０００３】
【発明が解決しようとする課題】
本発明は、古紙収納時には長方形の底面を有する袋形状をなし、古紙収納後に袋に設けられたミシン目において切断することにより、袋の側面に十文字状の結束テープが形成され、該テープにより古紙を結束することにより、手間をかけることなく、簡単に古紙を紐でしばった状態とすることができる古紙回収袋を提供することを目的としてなされたものである。
【０００４】
【課題を解決するための手段】
本発明者は、上記の課題を解決すべく鋭意研究を重ねた結果、古紙収納時に長方形の底面が形成されるプラスチックフイルム製の古紙回収袋において、袋上縁より袋底面に達する４組のミシン目を袋の四隅に設け、古紙収納後にミシン目において切断することにより袋の側面に結束テープを形成し、該テープにより古紙を結束することにより、容易に古紙を紐でしばった状態とすることができ、かつ、該プラスチックフイルム製の袋の内側に、側面の内壁に接する紙筒を備えることにより、袋の形態保持性が良好となり、古紙の収納と結束が容易になることを見いだし、この知見に基づいて本発明を完成するに至った。
すなわち、本発明は、
（１）古紙収納時に長方形の底面が形成され、該底面の上に直方体形状の袋体部が形成されるプラスチックフイルム製の古紙回収袋において、該プラスチックフイルム製の袋の側面の内壁に接し、袋底面から袋の高さ方向の中間部に達する直方体形状の紙筒を備え、プラスチックフイルム製の袋上縁より袋底縁に達する８本のミシン目を有し、古紙収納後に８本のミシン目において直方体形状の袋体部の４箇所の角部を切除部として切り離すことによって、直方体形状の袋体部の４側面の上縁に収納された古紙を結束する互いに対向する２対のテープを有する十文字状の結束テープが形成されることを特徴とする古紙回収袋、
（２）８本のミシン目の袋上縁端に切り欠きが設けられてなる第１項記載の古紙回収袋、及び、
（３）長尺のチューブ状のプラスチックフイルム１５を連続的にガゼッター１６に移送し、両側縁に１対のＶ字形のガゼット部１７を有する帯状フイルム１８を形成し、次いで、帯状フイルムの両側縁よりガゼット部の折り込み幅より短い位置に、ミシン刃１９により、帯状フイルムの長手方向に２枚の表面フイルムと２枚のガゼット部フイルムの合計４枚のフイルムを貫通する２本のミシン目２０を入れ、ガゼット部の間に断熱性の受け台２３を挿入し、受け台の両側からハの字形の熱溶着刃２４を押し付け、帯状フイルムの各１枚の表面フイルムとガゼット部フイルムを溶着してハの字形の傾斜溶着線２５を形成し、ハの字形の傾斜溶着線の上端において、直線状の熱溶着刃２６により、各２枚の表面フイルムとガゼット部フイルムのすべてを帯状フイルムの幅方向に直線状に溶着して下縁溶着線を形成し、最後に、切断刃２７により、ハの字形の傾斜溶着線が袋の底部となるように下縁溶着線の外側で切断し古紙回収袋のプラスチックフイルム製の袋２８を製造することを特徴とする第１項記載の古紙回収袋の製造方法、
を提供するものである。
【０００５】
【発明の実施の形態】
本発明の古紙回収袋は、古紙収納時に長方形の底面が形成されるプラスチックフイルム製の古紙回収袋において、該プラスチックフイルム製の袋の側面の内壁に接し、袋底面から袋の高さ方向の中間部に達する紙筒を備え、プラスチックフイルム製の袋上縁より袋底面又はその近傍に達する複数本のミシン目を有し、古紙収納後にミシン目において切断することにより、収納された古紙を結束するテープが袋の側面に形成される古紙回収袋である。
図１(ａ)は、本発明の古紙回収袋の一態様のプラスチックフイルム製の袋の斜視図であり、図１(ｂ)は、紙筒の斜視図であり、図１(ｃ)は、プラスチックフイルム製の袋に紙筒を収めた状態を示す斜視図であり、図１(ｄ)は、古紙を収納した後にテープにより結束した状態を示す斜視図である。本発明の古紙回収袋は、プラスチックフイルム製であって、古紙収納時に長方形の底面が形成され、袋の側面の内壁に接し、袋底面から袋の高さ方向の中間部に達する紙筒を備えている。使用するプラスチックフイルムに特に制限はなく、例えば、低密度ポリエチレン、高密度ポリエチレン、線状低密度ポリエチレン、ポリプロピレンなどを挙げることができる。
本発明の古紙回収袋のプラスチックフイルム製の袋は、袋上縁より袋底面又はその近傍に達する複数本のミシン目１を有し、古紙収納後にミシン目において切断することにより、切除部２が除去され、収納された古紙を結束するテープ３及び４が袋の側面に形成される。本発明の古紙回収袋の寸法に特に制限はなく、収納する古紙の種類に応じて適宜選択することができる。新聞古紙回収袋として使用する場合は、底面の短辺と長辺が、それぞれ２４〜２６cm程度と３０〜３４cm程度であることが好ましい。
【０００６】
本発明の古紙回収袋において、プラスチックフイルム製の袋には、袋の側面の内壁に接し。袋底面から袋の高さ方向の中間部に達する紙筒５が備えられる。図１(ｃ)において、一点鎖線は紙筒の上縁を示す。プラスチックフイルム製の袋の側面の内壁に接する紙筒を備えることにより、プラスチックフイルム製の袋の形態保持性が向上し、袋が空であっても、図１(ｃ)に示す天面が開いた直方体状の形態が保持されるので、袋内への古紙の投入、収納が容易になる。紙筒の高さは、収納すべき古紙を積み重ねた高さであることが好ましい。使用者は、紙筒を備えたプラスチックフイルム製の古紙回収袋に古紙を収納し、収納された古紙の上面が紙筒の上縁に達したとき、古紙の量が適量であると判断して結束することができる。袋の中の古紙が適量に達したとき、ミシン目１において切断することにより切除部２を除去すると、袋の側面には収納された古紙を結束するテープ３及び４が形成されるので、テープにより古紙を結束し、図１(ｄ)に示す状態として、回収に寄託することができる。紙筒を備えないプラスチックフイルム製の古紙回収袋を用いた場合には、テープにより古紙を結束すると、図２に示す状態となるので、本発明の古紙回収袋を用いることにより、美観に優れた状態で古紙を回収に寄託することができる。
本発明の古紙回収袋に用いる紙筒の材質に特に制限はないが、従来の紙製の古紙回収袋に用いられるクラフト紙などを好適に用いることができる。本発明の古紙回収袋に用いる紙筒の紙の使用量は、従来の紙製の古紙回収袋に比べると約３分の１であり、紙製の古紙回収袋を用いる場合に比べて、紙の使用量を大幅に節減することができる。また、従来の紙製の古紙回収袋は、底面に多量の接着剤を用いているので、古紙回収袋が古紙に混入すると、接着剤が再生紙の紙質低下の原因となっていた。本発明の古紙回収袋に用いる紙筒は、平紙を筒状に加工するために、紙端に接着剤が細い筋状に塗布されているだけなので、紙筒が古紙に混入しても、紙質の低下を生ずるおそれがない。
本発明の古紙回収袋に用いるプラスチックフイルム製の袋は、通常は透明ないしは透明に近い半透明なので、プラスチックフイルム製の袋の内側に備えられた紙筒に文字や図柄を印刷することにより、使用者に各種の情報を提供し、あるいは、美観を高めることができる。
【０００７】
本発明の古紙回収袋は、プラスチックフイルム製の袋のミシン目の袋上縁端に切り欠きを設けることが好ましい。図３は、本発明の古紙回収袋の他の態様の斜視図である。本態様の古紙回収袋においては、プラスチックフイルム製の袋のミシン目１の袋上縁端に切り欠き６が設けられている。ミシン目の袋上縁端に切り欠きを設けることにより、ミシン目の両側から袋を引っ張って、容易にミシン目で切断し、結束用のテープを形成することができる。
本発明の古紙回収袋は、プラスチックフイルム製の袋と紙筒を別個に使用者に供給することができ、あるいは、プラスチックフイルム製の袋に紙筒を装着した状態で使用者に供給することもできる。折り畳まれたプラスチックフイルム製の袋を開き、折り畳まれた紙筒を開いてその中に挿入することは、手間のかかる作業ではないので、同数のプラスチックフイルム製の袋と紙筒を使用者に供給し、使用者がプラスチックフイルム製の袋を開き、紙筒を挿入して、図１(ｃ)又は図３に示す状態にして使用することが好ましい。この状態においては、本発明の古紙回収袋は、その形態において、従来の紙製やプラスチックフイルム製の古紙回収袋となんら異なる点はないので、例えば、読了後の新聞紙を折り畳んで逐次投入していくと、投入された新聞紙は袋の形状にしたがって揃えられ、積み重ねられていく。
本発明の古紙回収袋を使用することにより、古紙収納時には袋の状態で簡便に古紙を収納することができ、古紙を回収に寄託するときには、手間をかけることなくテープで結束した状態とすることができる。本発明の古紙回収袋は、プラスチックフイルム製の袋で構成されているので、形成される古紙を結束するテープは、回収時の取り扱いに必要な強度を有する一方、古紙選別場において容易に切断することができる。従来、時として強度の大きい延伸テープヤーンなどにより古紙が結束されて回収に寄託され、ヤーンの切断に手間どる場合も見られたが、本発明の古紙回収袋を使用することにより、このような作業上の問題は解消する。
【０００８】
図４(ａ)は、図１に示す態様の本発明の古紙回収袋のプラスチックフイルム製の袋の折り畳まれた状態を示す側面図であり、図４(ｂ)は、図４(ａ)のＡ−Ａ線切断部端面図であり、図４(ｃ)は、ミシン目において切断して切除部を除去したときの底面の状態を示す部分展開図であり、図４(ｄ)は、紙筒の折り畳まれた状態を示す側面図であり、図４(ｅ)は、図４(ｄ)のＢ−Ｂ線切断部端面図である。本態様の古紙回収袋は、プラスチックフイルム製の袋の両側縁７にガゼット部８を有し、底縁９が幅方向に直線状に溶着され、ガゼット部フイルム１０と袋表面フイルム１１の各１対が、袋底縁のガゼット内折り端１２から、袋両側縁に斜方向に溶着されて溶着線１３が形成されている。また、２枚の袋表面フイルムと２枚のガゼット部フイルムの合計４枚のフイルムを貫通し、袋上縁より袋底縁に達する１対の直線状のミシン目１が設けられている。このミシン目は、図４(ｂ)の一点鎖線Ｃの位置に設けられている。また、図４(ｄ)及び(ｅ)に示す紙筒を開くと、プラスチックフイルム製の袋の側面の内壁に接する形状となる。
本態様の古紙回収袋のプラスチックフイルム製の袋を開くと、斜方向の溶着線１３と側縁７の交点１４が、底面の長方形の頂点となって、図１(ａ)に示す状態の天面が開いた直方体状の袋となる。この袋へ紙筒を開いて挿入し、古紙を収納したのち、直方体の側面の四隅に形成されている切除部２をミシン目において切断して除去することにより、直方体の各側面にテープが形成されるので、テープにより収納された古紙を結束して図１(ｄ)に示す状態として、回収に寄託することができる。図４(ｃ)に示すように、底面の長辺側のテープ３は、底縁９の溶着線により相互に溶着されており、底面の短辺側のテープ４は、斜方向の溶着線１３により長辺側のテープと溶着されているので、溶着部は収納された古紙を結束して取り扱うために必要な十分な強度を有している。
【０００９】
図５は、本発明の古紙回収袋のプラスチックフイルム製の袋の製造方法の一態様の工程説明図である。(Ａ)長尺のチューブ状のプラスチックフイルム１５を連続的にガゼッター１６に移送し、両側縁に１対のＶ字形のガゼット部１７を有する帯状フイルム１８を形成する。次いで、好ましくは帯状フイルムの移送方式をピッチ移送に切り替え、(Ｂ)帯状フイルムの両側縁よりガゼット部の折り込み幅より短い位置に、ミシン刃１９により、帯状フイルムの長手方向に２枚の表面フイルムと２枚のガゼット部フイルムの合計４枚のフイルムを貫通する２本のミシン目２０を入れる。(Ｃ)ミシン目上に、ポンチ２１により孔２２を明ける。孔の形状に特に制限はないが、直線同士の交点のない滑らかな周を有する長円状などであることが好ましい。(Ｄ)ガゼット部の間に断熱性の受け台２３を挿入し、受け台の両側からハの字形の熱溶着刃２４を押し付け、帯状フイルムの各１枚の表面フイルムとガゼット部フイルムを溶着してハの字形の傾斜溶着線２５を形成する。ハの字形の傾斜溶着線は、その上端と孔の中央とが帯状フイルムの幅方向において略同一線上に存在する位置に形成する。(Ｅ)ハの字形の傾斜溶着線の上端において、直線状の熱溶着刃２６により、各２枚の表面フイルムとガゼット部フイルムのすべてを帯状フイルムの幅方向に直線状に溶着して下縁溶着線を形成する。最後に、切断刃２７により、ハの字形の傾斜溶着線が袋の底部となるように下縁溶着線の外側で切断して、本発明の古紙回収袋のプラスチックフイルム製の袋２８を完成する。本態様の製造方法により、図３に示す態様の本発明の古紙回収袋のプラスチックフイルム製の袋を製造することができる。また、図５に示す態様の製造工程より、(Ｃ)ミシン目上にポンチ２１により孔を明ける工程を省略することにより、図１に示す態様の本発明の古紙回収袋のプラスチックフイルム製の袋を製造することができる。(Ｂ)ミシン目、(Ｃ)孔、(Ｄ)ハの字形の傾斜溶着線及び(Ｅ)下縁溶着線の形成は、任意の順序で行うことができる。
本発明の古紙回収袋において、紙筒の製造方法に特に制限はなく、平紙の端部を接着して筒状に加工し、適当な長さに切断することにより、製造することができる。紙筒はプラスチックフイルム製の袋の側面の内壁の接する寸法であれば、折り畳み方に特に制限はないが、図４に示すように、プラスチックフイルム製の袋と同じ形状に折り畳むことが、流通面からも、使用者の取り扱いやすさの点からも好ましい。
【００１０】
【発明の効果】
本発明の古紙回収袋は、古紙収納時には長方形の底面を有する袋形状をなし、袋の形態保持性が良好であり、古紙収納後に袋に設けられたミシン目において切断することにより、袋の側面にテープが形成され、該テープにより古紙を結束することにより、手間をかけることなく、簡単に古紙を紐でしばった状態とすることができる。
【図面の簡単な説明】
【図１】図１は、本発明の古紙回収袋の一態様の斜視図である。
【図２】図２は、紙筒を備えないプラスチックフイルム製の古紙回収袋の使用説明図である。
【図３】図３は、本発明の古紙回収袋の他の態様の斜視図である。
【図４】図４は、本発明の古紙回収袋の一態様の側面図、切断部端面図及び部分展開図である。
【図５】図５は、本発明の古紙回収袋のプラスチックフイルム製の袋の製造方法の一態様の工程説明図である。
【符号の説明】
１  ミシン目
２  切除部
３  テープ
４  テープ
５  紙筒
６  切り欠き
７  側縁
８  ガゼット部
９  底縁
１０  ガゼット部フイルム
１１  袋表面フイルム
１２  ガゼット内折り端
１３  溶着線
１４  溶着線と側縁の交点
１５  チューブ状のプラスチックフイルム
１６  ガゼッター
１７  ガゼット部
１８  帯状フイルム
１９  ミシン刃
２０  ミシン目
２１  ポンチ
２２  孔
２３  断熱性の受け台
２４  ハの字形の熱溶着刃
２５  ハの字形の傾斜溶着線
２６  直線状の熱溶着刃
２７  切断刃
２８  プラスチックフイルム製の袋
【図１】
0004436952.tif 000002
【図２】
0004436952.tif 000003
【図３】
0004436952.tif 000004
【図４】
0004436952.tif 000005
【図５】
0004436952.tif 000006